(57)【要約】【課題】  階層化されたデータ構造を持つ項目を含むリストにおいて項目の選択および表示を容易に分かり易くし、ユーザの操作性を向上させた「表示制御装置」を提供する。【解決手段】  オーディオ装置において、記憶装置に階層的に格納されたオーディオデータの検索等を行うとき、ディスプレイに選択画面１００が表示される。選択画面１００には、第１の階層の複数の項目１０４を含むリスト１０６が表示され、その中から項目１０４ａが選択されると、選択された項目１０４ａがリストのほぼ中央に表示され、リストの右側に選択された項目１０４ａの次階層である第２の階層の項目１１０が表示される。【選択図】      図５
2008009781.tif 000002
【特許請求の範囲】
【請求項１】
階層的なデータ構造を持つ項目を含むリストを表示する表示制御装置であって、
階層的な構造をもつデータを記憶する記憶手段と、
ディスプレイと、
記憶手段から読み出されたデータに基づき複数の項目を含むリストをディスプレイに表示する表示手段と、
ディスプレイに表示されたリストの中から所定の項目を選択する選択手段と、
前記選択手段により第１の階層の所定の項目が選択されたとき、選択された項目をリスト内の一定の位置に表示させ、かつ第１の階層よりも下階層の第２の階層の複数の項目をリスト内に表示する制御手段と、
を有する表示制御装置。
【請求項２】
前記選択手段によりリスト内の第２の階層の所定の項目が選択されたとき、前記制御手段は、第２の階層で選択された項目が第１の階層で選択された項目と整列するように第２の階層で選択された項目をリスト内の前記一定の位置に表示させ、かつ第２の階層よりも下階層である第３の階層の複数の項目をリスト内に表示する、請求項１に記載の表示制御装置。
【請求項３】
前記制御手段は、前記選択手段により選択された項目が他の項目から識別されるように選択された項目をアクティブ表示する、請求項１または２に記載の表示制御装置。
【請求項４】
前記制御手段は、前記選択手段により選択された項目を他の項目よりも拡大して表示する、請求項１または２に記載の表示制御装置。
【請求項５】
前記制御手段は、現在選択されている階層よりも上階層の項目を圧縮して表示する、請求項１ないし４いずれか１つに表示制御装置。
【請求項６】
前記制御手段は、現在選択されている階層から離れるに従い上階層の圧縮率を大きくして項目を表示する、請求項５に記載の表示制御装置。
【請求項７】
前記選択手段により現在選択されている階層より上階層の項目が再選択されたとき、前記制御手段は、当該再選択された項目を現在選択された階層の項目としてリストの前記一定の位置に表示する、請求項１ないし６いずれか１つに記載の表示制御装置。
【請求項８】
前記選択手段は、ディスプレイへの接触を入力とする入力手段を含み、リスト内の所定の項目に触れることで当該項目を選択する、請求項１に記載の表示制御装置。
【請求項９】
前記一定の位置は、リスト内のほぼ中央である、請求項１ないし８いずれか１つに記載の表示制御装置。
【請求項１０】
階層的なデータ構造を持つ項目を含むリストをディスプレイに表示する表示方法であって、
第１の階層の複数の項目を含むリストをディスプレイに表示するステップと、
リスト内の第１の階層の中から所定の項目を選択するステップと、
選択された項目をリスト内の一定の位置に表示するステップと、
第１の階層で選択された項目の下階層の第２の階層の複数の項目をリスト内に表示するステップと、
を有する表示方法。
【請求項１１】
表示方法はさらに、リスト内の第２の階層の中から所定の項目を選択するステップと、
第２の階層で選択された項目を第１の階層で選択された項目と整列するように第２の階層で選択された項目をリスト内の前記一定の位置に表示させるステップと、
第２の階層で選択された項目よりも下階層である第３の階層の複数の項目をリスト内に表示するステップと、
を有する請求項１０に記載の表示方法。
【請求項１２】
前記一定の位置に表示された項目を他の項目から識別されるようにアクティブ表示する、請求項１０または１１に記載の表示方法。
【請求項１３】
前記一定の位置に表示された項目を他の項目よりも拡大して表示する、請求項１０または１１に記載の表示方法。
【請求項１４】
現在選択されている階層よりも上階層の項目を圧縮して表示する、請求項１０ないし１３いずれか１つに表示方法。
【請求項１５】
現在選択されている階層から離れるに従い上階層の圧縮率を大きくして項目を表示する、請求項１４に記載の表示制御装置。
【請求項１６】
現在選択されている階層より上階層の項目が再選択されたとき、当該再選択された項目を現在選択された階層の項目としてリスト内の前記一定の位置に表示する、請求項１０ないし１５いずれか１つに記載の表示方法。
【請求項１７】
リスト内の項目は、ディスプレイに触れることによって選択される、請求項１０ないし１６いずれか１つに記載の表示方法。
【請求項１８】
前記一定の位置は、リストのほぼ中央である、請求項１０ないし１７いずれか１つに記載の表示方法。
【請求項１９】
階層的なデータ構造を持つ項目を含むリストをディスプレイに表示するための表示プログラムであって、
第１の階層の複数の項目を含むリストをディスプレイに表示するステップと、
リスト内の第１の階層の中から所定の項目を選択するステップと、
選択された項目をリスト内の一定の位置に表示させるステップと、
第１の階層で選択された項目の下階層である第２の階層の複数の項目をリスト内に表示するステップと、
を有する表示プログラム。
【請求項２０】
表示プログラムはさらに、リスト内の第２の階層の中から所定の項目を選択するステップと、
第２の階層で選択された項目を第１の階層で選択された項目と整列するように第２の階層で選択された項目をリスト内の前記一定の位置に表示させるステップと、
第２の階層で選択された項目よりも下階層である第３の階層の複数の項目をリスト内に表示するステップと、
を有する請求項１９に記載の表示プログラム。
【発明の詳細な説明】
【技術分野】
【０００１】
本発明は、階層的なデータ構造を持つ項目を含むリストをディスプレイに表示する表示制御装置に関し、特に、リスト内の項目を直接選択することで階層的なデータの検索等を可能にする表示制御装置に関する。
【背景技術】
【０００２】
大量のデータをメモリ等に記憶し、その中から所望のデータを検索するような場合、データに階層的に保存することが便利である。例えば、パーソナルコンピュータ等において、複数のファイルを作成し、その下階層に複数のファイルを作成し、さらに必要であればその下階層にファイルを作成し、データをツリー構造にしてファイル内に保存する。階層化されたデータの検索等を行う場合、階層化されたデータに対応する項目またはインデックス等を含むリストをディスプレイに表示し、リスト内の項目を選択することで、上階層から下階層へとデータを絞り込んでいく。
【０００３】
こうした項目を含むリストをディスプレイに表示するとき、全階層分の項目を画面全体に一覧表示させると、階層数や各階層に含まれる項目数によって、１項目分の表示サイズが小さくなり、視認性が悪くなる。他方、１階層分の項目のみを表示すれば、１項目分の表示サイズが大きくなり、視認性は良くなるが、一覧性は悪くなるという課題がある。特許文献１は、こうした課題を解決するために、表示画面を複数に分割してなる各表示エリア内に、この分割数に相当する階層レベル数分の項目を区分して表示するようにし、全階層分の項目を一覧表示する方式と１階層毎に項目を切り換え表示する方式の双方のメリットを合わせ持つ。
【０００４】
【特許文献１】特開２００３−１４０７９７号
【発明の開示】
【発明が解決しようとする課題】
【０００５】
上記したように階層化されたデータの検索を行う場合、ディスプレイに表示されたリストの中から所定の項目を選択することで次の階層の項目を表示させ、そこからさらに項目を選択して次の階層の項目を表示させ、順次階層が絞られていく。複数の階層の項目の選択を続けていくと、時として、現在どのような選択を行ってきたのかが分からなくなってしまうことがある。また、リスト内の各項目は、アルファベット順または５０音順にソートされているが、タッチパネルやカーソルを用いて所定の項目を選択するとき、誤って隣の項目を選択してしまうことがある。こうした誤りは、何度か階層の選択をし終わったときに気が付くことがあり、その場合には、上階層の項目の選択をやり直さなければならない。そのような誤りとは別に、ユーザは、選択してしまった項目とは異なる項目の選択を希望する場合があり、この場合にも上階層の項目が再選択されることがある。上階層へ戻って項目の再選択を行うとき、当該上階層がどの階層の下階層にあるのかの関連が分からないと、項目を再選択するときに不便である。また、当該上階層との関連をリスト内の項目をスクロールさせてサーチすることは、非常に不便であり、また使い勝手が良くない。
【０００６】
本発明は、こうした従来の課題を解決するものであり、階層化されたデータ構造を持つ項目を含むリストにおいて項目の選択および表示を容易に分かり易くし、ユーザの操作性を向上させた表示制御装置、表示方法および表示プログラムを提供することを目的とする。
【課題を解決するための手段】
【０００７】
本発明は、階層的なデータ構造を持つ項目を含むリストを表示する表示制御装置であって、階層的な構造をもつデータを記憶する記憶手段と、ディスプレイと、記憶手段から読み出されたデータに基づき複数の項目を含むリストをディスプレイに表示する表示手段と、ディスプレイに表示されたリストの中から所定の項目を選択する選択手段と、前記選択手段により第１の階層の所定の項目が選択されたとき、選択された項目をリスト内の一定の位置に表示させ、かつ第１の階層よりも下階層の第２の階層の複数の項目をリスト内に表示する制御手段とを有する。
【０００８】
好ましくは、選択手段によりリスト内の第２の階層の所定の項目が選択されたとき、制御手段は、第２の階層で選択された項目が第１の階層で選択された項目と整列するように第２の階層で選択された項目をリスト内の前記一定の位置に表示させ、かつ第２の階層よりも下階層である第３の階層の複数の項目をリスト内に表示する。
【０００９】
制御手段は、選択手段により選択された項目を他の項目から識別するようにアクティブ表示したり、あるいは拡大して表示し、選択された項目が一見して認識できるようにする。
【００１０】
さらに好ましくは制御手段は、現在選択されている階層よりも上階層の項目を圧縮して表示し、さらに、現在選択されている階層から離れるに従い上階層の圧縮率を大きくして項目を表示するようにしてもよい。これにより、限られた表示スペースにおいて、現在選択されている階層の項目の視認性がよくなる。
【００１１】
また選択手段により現在選択されている階層より上階層の項目が再選択されたとき、当該再選択された項目より下階層の項目の選択をキャンセルし、制御手段は、当該再選択された項目を現在選択された階層の項目としてリストの一定の位置（ほぼ中央）に表示する。
【００１２】
階層的なデータ構造を持つ項目を含むリストをディスプレイに表示する表示方法または表示プログラムは、第１の階層の複数の項目を含むリストをディスプレイに表示するステップと、リスト内の第１の階層の中から所定の項目を選択するステップと、選択された項目をリスト内の一定の位置に表示するステップと、第１の階層で選択された項目の下階層の第２の階層の複数の項目をリスト内に表示するステップとを有する。
【発明の効果】
【００１３】
本発明によれば、ある階層の項目が選択されたとき、選択された項目をリスト内の一定の位置、好ましくはリスト内のほぼ中央に表示するようにしたので、ユーザは、選択した項目を一見して容易に認識することができる。上階層から下階層への項目を選択し続けた場合でも、選択した項目がリスト内の一定の位置に整列されるため、現在の階層が上階層からのどのようなルートにあるのかを容易に認識することができる。さらに、上階層に戻って項目の選択を再度やり直す場合であっても、上階層で選択された項目がリストの一定の位置に表示されているので、項目の選択が分かり易くなり、従来と比較して操作性が格別に向上される。
【発明を実施するための最良の形態】
【００１４】
本発明の最良の実施の形態について図面を参照して詳細に説明する。
【実施例】
【００１５】
図１は、本発明の実施例に係るオーディオ装置の構成を示すブロック図である。オーディオ装置１０は、ユーザからの指示等をカーソルやタッチパネル等を介して入力する入力部１２、ＣＤ、ＤＶＤ等に記録されたオーディオデータを再生する再生部１４、種々の情報を表示するディスプレイ１６、音声を出力するスピーカ１８、プログラムやデータ等を記憶するメモリ２０、楽曲に関するオーディオデータ等を記憶する記憶装置２２、外部装置とデータの送受を行う外部インターフェース（Ｉ／Ｆ）２４、および各部を制御する制御部２６を備えている。
【００１６】
制御部２６は、オーディオデータの再生、オーディオデータの保存、オーディオデータの選択・表示等を制御し、これらの制御は、好ましくはメモリ２０に格納されたプログラムにより実行される。制御部２６は、例えばＣＤやＤＶＤに記録されたオーディオデータを再生部１４に読み取らせ、そのオーディオデータをスピーカ１８から出力させたり、ＣＤやＤＶＤに記録されたオーディオデータを記憶装置２２へリッピング（保存）したり、外部Ｉ／Ｆ２４を介して得られたオーディオデータを記憶装置２２に保存する。さらに制御部２６は、記憶装置２２に保存されたオーディオデータに関する項目を含むリストをディスプレイ１６に表示し、リストから項目を選択することでオーディオデータを選択し、これを再生する。なお、入力部１２は、カーソルキーを操作して入力を与えるもの、あるいはタッチパネルを用いてディスプレイへの接触により入力を与えるもの等が用いられる。
【００１７】
次に、オーディオデータの保存について説明する。制御部２６は、入力部１２を介してオーディオデータの保存の指示が与えられると、ディスプレイ１６に保存用テンプレート画面等を表示し、そのテンプレート画面を介してオーディオデータを階層的に保存することができる。勿論、保存用テンプレートを用いることなくオーディオデータを保存するようにしてもよい。
【００１８】
オーディオデータを階層的に保存するとき、制御部２６は、図２に示すような階層テーブルを作成し、これを併せて記憶装置２２に保存する。階層１に複数の項目１、２、・・・ｎが作成されると、それに応じて、階層１の階層テーブルが作成される。項目は、例えばオーディオデータを管理または検索するのに便利なカテゴリーまたはインデックス等が用いられる。
【００１９】
次に、階層１よりも下階層である階層２が作成されると、階層１には階層２との関係を示すポインタＫ２１、Ｋ２２・・・Ｋ２ｎが作成され、併せて階層２のテーブルが作成される。仮に、階層１の項目２に繋がる階層２が作成されると、階層１の項目２には、階層２を識別するためのポインタＫ２２が作成される。ポインタは、例えば階層２の保存先のアドレスであってもよい。さらに階層２より下階層の階層３が作成されると、階層２の項目には、階層３を識別するためのポインタＫ３１、Ｋ３２、・・・Ｋ３ｎが作成される。また、それ以上の階層が作成されずに、その項目にデータが保存される場合には、ポインタは、データの保存先アドレスとなる。例えば、階層３の項目１が選択されると、アドレスＤ１のデータが選択される。こうして、制御部２６は、記憶装置２２からオーディオデータの検索等を行うとき、階層テーブルを参照し、階層テーブルに基づきリストをディスプレイに表示する。
【００２０】
図３は、オーディオデータを階層的に保存したときの具体例である。階層１はプレイリストであり、その下階層の階層２はジャンルであり、その下階層の階層３はアーティスト名であり、その下階層の階層４は曲名である。ユーザは、所望の曲名のオーディオデータを再生しようとするとき、プレイリスト、ジャンル、アーティスト名から順に階層を展開し、曲名を絞込み、サーチする。
【００２１】
次に、本実施例のオーディオ装置においてオーディオデータを選択する動作について図４のフローを参照して説明する。ここでは、ダイレクト選択型の操作（タッチパネルやディスプレイ領域に対応した入力デバイス）において、リスト内からダイレクトに項目を選択したとき、選択された項目がリスト中央に移動してから、次階層が展開され、限られた画面スペースの中で最大限にリストの前後関係を表示する。また、画面サイズが小さくても複数の階層を同時に表示可能なように、現在の階層以外の階層を圧縮して表示する機能を有する。その際、現在の階層から遠いほど、圧縮率を大きくすることによって表示スペース効率を向上させる。
【００２２】
初めにオーディオ装置が電源投下されたとき、あるいは、入力部１２から指示があったとき、制御部２６は、記憶装置２２に記憶されている階層テーブルを参照し、オーディオデータを選択するための選択画面をディスプレイ１６に表示する（ステップＳ１０１）。ここでは、説明を分かり易くするため、階層構造は、第１、第２、第３の順に下層になるものとする。
【００２３】
選択画面１００は、図５（ａ）に示すように、階層名称を表示する表示エリア１０２と、現在の階層に含まれる複数の項目１０４を表示するエリア（図では５つの項目が一度に表示可能）と、これらの複数の項目１０４を包含するリスト１０６と、リスト１０６内の項目１０４をスクロールさせるスクロールキー１０８とを含んでいる。選択画面の表示エリア１０２には、第１の階層の名称が表示され、第１の階層に含まれる項目がリスト１０６内に表示される。
【００２４】
制御部２６は、この状態でユーザからの入力を待つ。ユーザによってリスト１０６内のいずれかの項目が選択されると（ステップＳ１０２）、制御部２６は、図５（ｂ）に示すように、選択された項目１０４ａ（図中、ハッチングで表示）がリスト１０６のほぼ中央に位置するように表示する（ステップＳ１０３）。これは、項目全体をスクロールすることで選択された項目１０４ａが中央に移動するようにしてもよいし、選択された項目１０４ａだけがジャンプしてリストの中央に移動するようにしても良い。
【００２５】
さらに、第１の階層の項目は約半分に圧縮され、リスト１０６の約右半分には、選択された項目１０４ａの次階層である第２の階層の項目１１０が表示される（ステップＳ１０４）。表示エリア１０２には、第２の階層の名称が表示される。制御部２６は、好ましくは選択された項目１０４ａを他の項目よりも明るくアクティブ表示したり、文字または背景の色を他の項目と異なるようにする。さらに、カーソルを項目に一致させて項目の選択を行う場合には、当該カーソルを選択された項目１０４ａに一致させるようにする。
【００２６】
階層が継続する場合には、引き続き、第２の階層の所定の項目１１０ａの選択が行われる（ステップＳ１０２）。制御部２６は、図５（ｃ）に示すように、選択された項目１１０ａをリスト１０６のほぼ中央に表示し（ステップＳ１０３）、かつ、選択された項目１１０ａの次階層である第３の階層の項目１２０をリスト１０６の約右半分に表示する（ステップＳ１０４）。
【００２７】
第２の階層で選択された項目１１０ａは、第１の階層で選択された項目１０４ａと横一列に並ぶようにリストの中央に表示される。これにより、ユーザは、一見して各階層の選択された項目を認識することができる。さらに、第１の階層の項目と第２の階層の項目は、第３の階層の項目よりもそれぞれ圧縮して表示される。好ましくは、第３の階層から遠い第１の階層の圧縮率が第２の階層の圧縮率よりも大きい。これにより、限られた表示スペースにおいて、現在の階層の項目を見易くすることができ、選択の誤り等を防止することができる。
【００２８】
以上のようにして、最終的なオーディオデータが選択されるまでリストの項目が選択される。選択されたオーディオデータは、再生部１４において再生されたり、記憶装置２２から消去される。
【００２９】
次に、プレイリストからオーディオデータを選択するときの具体的な表示例を図６および図７に示す。図６（ａ）の選択画面は、最初の階層で「ＧＥＮＥＲＳ」が選択され、次階層で「Ｊ−ＰＯＰ」が選択され、リストの右側半分に、「Ｊ−ＰＯＰ」の次階層の複数の項目が表示された状態を示している。リスト上部の表示エリア１０２には、「Ｊ−ＰＯＰ」が表示されている。この状態で、ユーザは、「ＡＹＵＭＩ  ＨＡＭＡＤＡ」の項目２００を選択する。
【００３０】
すると、図６（ｂ）に示すように、選択された「ＡＹＵＭＩ  ＨＡＭＡＤＡ」の項目２００がリストの中央に移動し、先に選択された「ＧＥＮＥＲＳ」、「Ｊ−ＰＯＰ」と一直線状に中央に並列される。次に、図６（ｃ）に示すように、既に選択された上階層の項目２２０、２３０は圧縮して表示され、リストの右側半分に、「ＡＹＵＭＩ  ＨＡＭＡＤＡ」の項目２００の次階層の複数の項目２１０が表示される。現在の階層から遠い階層ほど、その圧縮率が大きく、すなわち、上階層の項目２２０は、上階層の項目２３０よりも圧縮率が大きい。また、リスト上部の表示エリアには、「Ｊ−ＰＯＰ：ＡＹＵＭＩ  ＨＡＭＡＤＡ」が表示される。
【００３１】
次に、項目２１０の中から「ＡＹＵＢＵＭ−１ｓｔ」２４０が選択されると、図６（ｄ）に示すように、選択された「ＡＹＵＢＵＭ−１ｓｔ」２４０がリスト中央に表示され、リスト上部の表示エリア１０２に「ＡＹＵＢＵＭ−１ｓｔ」が表示される。同様に、現在の階層よりも上階層は遠ざかるほど圧縮して表示される。
【００３２】
このように、選択された項目を常にリストのセンターに表示することで、限られた画面サイズの中で最大限に選択された階層の前後関係を把握することができる。
【００３３】
上階層の選択をし直す場合、例えば、図７（ａ）に示すように、上階層の項目である「Ｊ−ＰＯＰ」の選択を取り消し、他のジャンルである「ＭＥＴＡＬ」の項目２５０を選択する場合、ユーザは、「ＭＥＴＡＬ」の項目２５０にタッチする。すると、再選択された階層よりも下階層の項目の選択はすべてキャンセルされ、再選択された階層が現在の階層となり、図７（ｂ）に示すように、「ＭＥＴＡＬ」の項目２５０がリストの中央に表示され、リスト上部の表示エリアに「ＭＥＴＡＬ」が表示される。
【００３４】
次に、図７（ｃ）に示すように、「ＭＥＴＡＬ」の項目２５０の次階層の複数の項目２６０がリストの右半分に表示される。このとき、上階層の項目は圧縮して表示される。このように、上階層に戻って選択をし直すときに、階層の前後関係を一見して容易に認識することができ、ユーザにとっても操作性がよい。
【００３５】
以上、本発明の好ましい実施の形態について詳述したが、本発明に係る特定の実施形態に限定されるものではなく、特許請求の範囲に記載された本発明の要旨の範囲内において、種々の変形・変更が可能である。
【００３６】
上記実施例では、選択画面内にリストを表示するようにしたが、リストは、特に限定的に解釈されるものではなく、複数の項目を含んで表示されるものであればその表示態様はどのようなものであってもよい。ディスプレイの画面全体に複数の項目が表示されれば、画面全体がリストであってもよく、また画面の一部にリストが表示されるのであれば、画面の一部がリストであってもよい。
【００３７】
リスト内における項目の表示態様は、特に限定的に解釈されるものではなく、スクロールキーを持たないような項目の表示態様であってもよい。また、項目は、特に限定的に解釈されるものではなく、階層構造のデータそのもの、ありはそのようなデータと関連付けされたデータ、インデックス等の情報を含むものであってもよい。
【００３８】
さらに上記実施例では、選択された項目をリストの中央に表示するようにしたが、中央は、リストの物理的な中心に限らず、複数の項目が並んで表示されている場合の項目の中心であってもよい。さらに、選択された項目は、必ずしもリストの中央に限らず、リスト内の常に一定の位置に表示されるようにしてもよい。
【００３９】
さらに上記実施例では、オーディオデータを例示したが、これ以外にも、ユーザによって任意に階層構造を設定されたデータであってもよい。また、都道府県、市区町村のような階層を持つ住所データであってもよい。さらに、上記実施例では、オーディオ装置を例示したが、これ以外のパーソナルコンピュータ、携帯用音響装置、携帯電話など種々の電子装置においても本発明を適用することができる。
【産業上の利用可能性】
【００４０】
本発明は、階層構造を持つデータの検索システムを有する電子装置において広く利用される。
【図面の簡単な説明】
【００４１】
【図１】本発明の実施例に係るオーディオ装置の構成を示すブロック図である。
【図２】階層構造を持たせてデータを記憶するときに作成される階層テーブルを示す図である。
【図３】階層構造を持たせてオーディオデータの具体例である。
【図４】本発明の実施例に係るオーディオ装置におけるオーディオデータの選択動作を説明するフローである。
【図５】オーディオデータの選択画面である。
【図６】本実施例におけるリストの項目選択例を示す図である。
【図７】本実施例におけるリストの項目選択例を示す図である。
【符号の説明】
【００４２】
１０：オーディオ装置                  １２：入力部
１４：再生部                          １６：ディスプレイ
１８：スピーカ                        ２０：メモリ
２２：記憶装置                        ２４：外部インターフェース
２６：制御部                          １００：選択画面
１０２：表示エリア                    １０４：項目
１０４ａ：選択された項目              １０６：リスト
１０８：スクロールキー                １１０：項目
１１０ａ：選択された項目
【図１】
2008009781.tif 000003
【図２】
2008009781.tif 000004
【図３】
2008009781.tif 000005
【図４】
2008009781.tif 000006
【図５】
2008009781.tif 000007
【図６】
2008009781.tif 000008
【図７】
2008009781.tif 000009